(57)【特許請求の範囲】
【請求項１】
使用者の踵部を覆うスポーツ用サポーターにおいて、
サポーター本体部内面の内踝側の側壁面であって、使用者の距骨後方を内果後方に引き上げる方向に押圧し得る領域に、上端を有する長細形状をなし当該上端で使用者の距骨後突起内側結節の水平中央よりも下側を後上方に押圧し得る側面パッド部材を備え、
前記サポーター本体部内面の底面には、使用者の踵骨後端部から第五中足骨に至る領域に相当する位置に底面パッド部材が配設される、 
ことを特徴とするスポーツ用サポーター。
【請求項２】
請求項１に記載のスポーツ用サポーターにおいて、
使用者の足甲部を覆い、該足甲部の周方向に伸縮性を有する第１の本体部材と、使用者の踵部を覆い、足関節の長手方向に伸縮性を有する第２の本体部材とよりなる、
ことを特徴とするスポーツ用サポーター。
【発明の詳細な説明】
【技術分野】
【０００１】
本発明は、踵部を保護するサポーターに関するものであり、特に、シーバー病の患者がスポーツを行う際に踵にかかる負担を軽減するスポーツ用サポーターに関するものである。
【背景技術】
【０００２】
現在、成長期の子供に特有の病気として、踵の角がスポーツを行う際に痛むシーバー病（踵骨骨端症）が知られている。シーバー病は、脛骨や腓骨の成長に、アキレス腱の成長が追いつかず、アキレス腱が常に緊張状態となることで、アキレス腱が付着する踵骨後端の軟骨部分に炎症が起こり、スポーツ時などに踵に痛みを感じるものである。
シーバー病の患者がスポーツを行う際の踵への痛みを軽減させることを目的とするサポーターは現在知られておらず、通常は、踵部にクッション材を配置したサポーターが用いられている。
このような従来のサポーターとしては、例えば特許文献１には、踵保護用のサポーターにおいて、サポーター本体内面の、足裏の踵部、及び土踏まず部分に対応する部分にクッション材を配置することで、踵部や土踏まず部の痛みや疲れを軽減させるものが開示されている。
また、特許文献２には、足首に装着するサポーターにおいて、係止具を備えるベルト本体の両踝とアキレス腱とに相当する領域に緩衝材を装着し、足首周辺、踝、およびアキレス腱周りを緩衝材で覆うことで、踵に直接伝わっていた衝撃を緩和するものが開示されている。
【先行技術文献】
【特許文献】
【０００３】
特許文献１  特開平１１−２０６９４６
特許文献２  特開２００２−３３９１２３
【発明の概要】
【発明が解決しようとする課題】
【０００４】
しかしながら、上記従来のサポーターは、踵部にクッション材をあてがうことで踵への衝撃を和らげるものであり、このようなサポーターによれば、外的な衝撃に対する痛みを軽減することはできるものの、シーバー病による痛みの原因の一つとされているアキレス腱の緊張状態に由来する痛みを緩和することはできない。
また、上記特許文献１に記載されているような筒状のサポーターにおいては、サポーター内面の特定の領域にクッション材を配置した場合、クッション材を、装着者の足のサイズに応じて所望の領域に位置させることは困難であった。
本発明は、上記従来の課題を解決するためになされたものであり、シーバー病患者がスポーツをする際に、踵の痛みが出にくいスポーツ用サポーターを提供することを目的とする。また、サポーター装着者の足のサイズに応じて、サポーター内部のクッション部材を最適な位置に配置させることが可能なスポーツ用サポーターを提供することを目的とする。
【課題を解決するための手段】
【０００５】
上記課題を解決するために、本発明の請求項１に係るスポーツ用サポーターは、使用者の踵部を覆うスポーツ用サポーターにおいて、サポーター本体部内面の内踝側の側壁面であって、使用者の距骨後方を内果後方に引き上げる方向に押圧し得る領域に、上端を有する長細形状をなし当該上端で使用者の距骨後突起内側結節の水平中央よりも下側を後上方に押圧し得る側面パッド部材を備え、前記サポーター本体部内面の底面には、使用者の踵骨後端部から第五中足骨に至る領域に相当する位置に底面パッド部材が配設されることを特徴とするものである。
これにより、使用者の距骨を内踝後方に押し上げることができ、アキレス腱にかかる負担を軽減することが可能となる。また、使用者の距骨をより効率的に内果後方に押し上げることが可能となる。また、外的な衝撃から使用者の踵を保護することができると共に、足関節を底屈方向へ誘導することができ、アキレス腱にかかる負担を軽減することが可能となる。また、使用者の足関節に最適な角度で底屈方向の傾斜を与えることができ、アキレス腱にかかる負担を軽減することが可能となる。
【０００９】
また、本発明の請求項２に係るスポーツ用サポーターは、請求項１に記載のスポーツ用サポーターにおいて、当該スポーツ用サポーターは、使用者の足甲部を覆い、該足甲部の周方向に伸縮性を有する第１の本体部材と、使用者の踵部を覆い、足関節の長手方向に伸縮性を有する第２の本体部材とよりなることを特徴とするものである。
これにより、使用者の足のサイズに関わらず、前記側面パッドを使用者の距骨上の所望の領域に位置させることができるようになり、１つのサイズのスポーツ用サポーターにより、使用者の足の大きさの違いに対応することが可能となる。
【発明の効果】
【００１０】
本発明によるスポーツ用サポーターによれば、距骨後突起内側結節をパッド部材で押圧することとしたので、距骨後方を内果後方へ引き上げることができ、これにより、アキレス腱の緊張状態を緩和することができるので、シーバー病患者がスポーツを行う際の踵への負担を軽減させることが可能となる。
また、踵部に配置する緩衝材を、踵後端から第五中足骨に至る領域に配置することとしたので、サポーター装着時に、爪先と踵骨との間に最適な角度で傾斜を与えることができ、これにより足間接を底屈方向へ誘導することができるので、アキレス腱の緊張を緩和することができる。
また、サポーター本体の収縮方向を、甲周りと踵周りとで異ならせることとしたので、足のサイズに関わらず、パット部材を距骨後突起内側結節に相当する位置に確実に当てることが可能となる。
【図面の簡単な説明】
【００１１】
【図１】本発明の実施の形態１に係るスポーツ用サポーターの外観を表す図である。
【図２】本発明の実施の形態１に係るスポーツ用サポーターの装着状態を表す図である。
【図３ａ】本発明の実施の形態１に係るスポーツ用サポーターを長手方向に切断した断面図である。
【図３ｂ】本発明の実施の形態１に係るスポーツ用サポーターを長手方向に切断した断面図である。
【図４】足関節の骨構造を模式的に表す図である。
【図５】本発明の実施の形態１に係るスポーツ用サポーターの作用効果を説明するための図である。
【図６】本発明の実施の形態１に係るスポーツ用サポーターの作用効果を説明するための図である。
【図７】本発明の実施の形態２に係るスポーツ用サポーターの外観を表す図である。
【図８】本発明の実施の形態２に係るスポーツ用サポーターにおけるパッド部材の平面図である。
【図９】足関節の骨構造を模式的に表す図である。
【図１０ａ】本発明の実施の形態３に係るスポーツ用サポーターの装着状態を表す図である。
【図１０ｂ】本発明の実施の形態３に係るスポーツ用サポーターの装着状態を表す図である。
【図１０ｃ】本発明の実施の形態３に係るスポーツ用サポーターの装着状態を表す図である。
【発明を実施するための形態】
【００１２】
（実施の形態１）
図１は、本実施の形態１に係るスポーツ用サポーター１００の外観を示す図を、図２は、スポーツ用サポーター１００を装着した状態を内踝側から示した図を、また図３（ａ）、及び図３（ｂ）は、スポーツ用サポーター１００を長手方向に沿って切断した際の断面図をそれぞれ表す。
【００１３】
図１、及び図２において、１０はスポーツ用サポーター１００の本体部である。本体部１０は、装着者のサポーター装着部位に対して締め付け圧を与えるものであり、クロロプレンゴムの両面にナイロンジャージ生地を貼付した収縮性のある素材よりなる。
本体部１０の形状は、装着者の足首を収容保持する第１の開口１０ａと、足甲部を収容保持する第２の開口１０ｂとが形成されるよう筒状に縫製されている。なお、本発明に係るスポーツ用サポーターにおいては、サポーター本体部１０のつま先側を前側、踵側を後側、足底側を下側、及び足甲側を上側と定義する。
【００１４】
次に、図１ないし図３（ｂ）において、２０は本体部１０の内側の、左右の側壁面に設けられる側面パッドである。側面パッド２０は、後述するように、装着者の距骨後突起内側結節の下側領域を押圧するものである。側面パッド２０は、本体部１０と同様に、クロロプレンゴムの両面にナイロンジャージ生地を貼付した布地よりなり、その厚みは本体部１０よりも厚く、本体部の２〜３倍の厚みとするのが好適である。
側面パッド２０は、本来的に装着者の内踝側に配設されればよいものであるが、本実施の形態１によるスポーツ用サポーター１００は左右兼用のサポーターを想定しており、よって、側面パッド２０は、図３（ａ）、及び図３（ｂ）に示すように、本体部１０の左右の内側の側壁面にそれぞれ縫製されている。
【００１５】
側面パッド２０の形状は、本体部１０の底面から本体部１０の斜め後ろ方向に延伸し、その上端が略水平である長細形状をなし、その上端部分が距骨後突起内側結節の下側部分を押圧できる領域に位置するよう、本体部１０の内側面に縫製される。この側面パッド２０の配置位置について、図を用いて具体的に説明する。
【００１６】
図４は、人間の足関節付近の骨格構造を模式的に表す図である。
図４において、４１は距骨を、４２は踵骨を、４３は脛骨をそれぞれ表す。図４において、距骨４１のうち破線円で囲まれた部分が、距骨後突起内側結節であり、側面パッド２０は、当該距骨後突起内側結節の水平中央よりも下側の領域に当接するよう、本体部１０の内側に縫製される。より具体的には、装着者の足のサイズを２２ｃｍと想定した場合、側面パッド２０の上端を、本体部１０の底面から４〜６ｃｍの高さに、かつ踵部の後端から１〜５ｃｍの範囲に位置させることで、側面パッド２０の上端を所望の領域に位置させることができる。なお、この具体的な数値については、スポーツ用サポーター１００の装着が想定される標準的な子供の骨構造に基づいてその位置を決定できるものであり、上記の数値に限定されるものではない。
【００１７】
本実施の形態１によるスポーツ用サポーター１００は以上のように構成されるものであるが、本体部１０の素材は、収縮性を有するものであれば上記のものに限られず、例えばゴム部材等を使用することも可能である。また、本体部１０の形状としては、本実施の形態１で示す筒型形状の他に、踵からつま先までを覆う、いわゆるソックスタイプのサポーターとすることも可能である。
また、側面パッド２０は、上述した本体部底面より斜め後方に延伸する細長形状のほかに、例えば、本体部底面より垂直に延伸する細長形状のものとすることができ、あるいは円形や楕円型等のパッチ状のものとし、これを距骨後突起内側結節の下側部分に相当する領域に縫製してもよい。また、その材料としてはスポンジなどを用いることも可能である。さらに、スポーツ用サポーター１００を左右の足専用とする場合は、側面パッド２０を、本体部１０の内踝側にのみ設ければよい。
【００１８】
次に、以上のように構成されるスポーツ用サポーター１００の作用効果について、図５、及び図６を用いて説明する。
図５は、人間の踵部周辺の骨格と側面パッド２０との関係を内側（内踝側）より表した模式図であり、図６は、人間の踵部周辺の骨格と側面パッド２０の関係を後側より表した模式図である。
利用者がスポーツ用サポーター１００に足を挿入し、踵を本体部１０の後端に収容すると、側面パッド２０の先端部分は、利用者の距骨後突起内側結節の下側付近にて位置決めされる。側面パッド２０は、本体部１０による締め付け圧を受け、距骨後突起内側結節を加圧しながら変形する。
【００１９】
このとき、側面パッド２０は、本体部２０の底面より斜め後ろ方向へ延伸しているので、距骨４１には、図５に示すように斜め後方への力、すなわち矢印Ａ方向の力が側面パッド２０の上端により加えられる。これと同時に、距骨後突起内側結節の下側付近は、図６に示すように側面パッド２０により押圧され矢印Ｃの力が加えられることで、距骨４１には上方向への力、すなわち矢印Ｄ方向の力が加えられることになる。その結果、図５の矢印Ｂで示すように距骨４１の後方が内果後方へ引き上げられ、これにより、踵骨４２が押し上げられることで、踵骨４２に接続されるアキレス腱の緊張は緩和されることになり、アキレス腱にかかる負荷が軽減される。
【００２０】
以上のように、本実施の形態１のスポーツ用サポーター１００によれば、サポーター本体部１０の少なくとも内踝側の内壁面であって装着者の距骨後突起内側結節を押圧し得る位置に側面パッドを配置し、該側面パッドにより距骨後突起内側結節を後上方に押し上げることとしたので、サポーター装着者の距骨を内果後方へ引き上げることができ、これにより足関節を底屈方向へ誘導することが可能となる。この結果、アキレス腱の緊張状態を緩和することができ、シーバー病患者がスポーツを行う際の痛みを軽減させることが可能となる。
【００２１】
（実施の形態２）
本実施の形態２に係るスポーツ用サポーターは、上述した実施の形態１によるスポーツ用サポーター１００において、本体部１０の内側底面に所定長のパッド部材を配置することを特徴とするものである。なお、本実施の形態２において、上述した実施の形態１と同じ構成要素については同じ符号を使用し、その説明を省略する。
【００２２】
図７は、本実施の形態２によるスポーツ用サポーター２００の外観図である。また図８は、底面パッド３０の平面図であり、図９は、足関節の骨構造を上面より見た模式図である。
図７、及び図８において、３０は、本体部１０の底面に配置される底面パッド３０である。底面パッド３０は、図８で示すように、側面パッド２０と一体に形成される。底面パッド３０の前後方向の長さは、少なくとも、踵骨４２相当する長さがあれば良いが、好ましくは、図９で示すように、踵骨４２の後端から、小指の骨の付け根である第五中足骨粗面４４までの長さＬに略相当する長さであることが望ましく、より具体的には、装着者の足のサイズを２２ｃｍと想定した場合の上記長さＬは８ないし９ｃｍとすることができる。本実施の形態２のスポーツ用サポーター２００では、底面パッド３０の長さと、本体部１０の踵部後端から第２の開口１０ｂの底面側端部までの長さを、それぞれ踵骨４２の後端から、第五中足骨粗面４４までの長さＬに相当するものとしている。
【００２３】
次に、以上のように構成される本実施の形態２によるスポーツ用サポーター２００の作用効果を説明する。
底面パッド３０を、本体部１０の底面部に備えることにより、起立状態のサポーター装着者のつま先と、踵部と間に傾斜ができる。この傾斜は、足関節に前屈制限を与えることになり、アキレス腱の緊張を緩和させる方向へと働く。この傾斜が弱すぎると、アキレス腱の緊張緩和という効果を得ることができず、逆に強すぎると、装着者に対して違和感や疲労感を与えることになる。この点、底面パッドの前端を、第五中側骨粗面までの長さＬとすることで、足関節に最適な角度を与えることができるようになる。
また、本体部１０の長さを底面パッド３０と同じ長さとすることで、本体部１０による締め付け領域を、必要最低限の範囲とすることができ、これにより、足首に対する不要な領域の締め付けを抑えることができ、使用時の違和感をなくすことができる。
【００２４】
以上のように、本実施の形態２のスポーツ用サポーター２００によれば、サポーター本体の底面部に、踵骨の後端から、第五中足骨粗面までの長さに略相当する長さのパッド部材を配備するものとしたので、踵部に対する衝撃を緩和できると共に、足間接に対して疲労感を与えることなく、アキレス腱の緊張を緩和させることが可能となる。
【００２５】
（実施の形態３）
本実施の形態３に係るスポーツ用サポーターは、上述した実施の形態１によるスポーツ用サポーター１００において、本体部１０を、足甲部と踵部の二つの部材により構成するものとし、かつそれぞれの収縮方向が異なるように配置することを特徴とするものである。なお、本実施の形態３において、上述した実施の形態１と同じ構成要素については同じ符号を使用し、その説明を省略する。
【００２６】
図１０（ａ）ないし図１０（ｃ）は、本実施の形態３によるスポーツ用サポーター３００を装着した内踝側、正面、及び外踝側の外観図をそれぞれ表す。
本実施の形態２のスポーツ用サポーター３００の本体部１０は、図１０（ａ）、及び図１０（ｃ）に示すように、足甲部１１と、踵部１２との２つの部材を縫製してなるものである。足甲部１１、及び踵部１２は、上記実施の形態１の本体部１０と同じく、収縮性のある布部材であり、足甲部１１は、足甲の周方向、すなわち図１０（ａ）ないし図１０（ｃ）における矢印Ｅの方向に伸縮するように配置される。また、踵部１２は、足の前後方向、すなわち図１０（ａ）、及び図１０（ｃ）における矢印Ｆの方向に伸縮するように配置されている。
足甲部１１と、踵部１２とは、側面パッド２０の前側片と略同じ位置で縫製しているが、側面パッド２０が踵部１２に含まれる限りにおいて、互いの縫製位置については任意とすることができる。
【００２７】
このように、足甲部１１と、踵部１２とで生地の伸縮方向を変えることにより、以下の効果を得ることができる。
すなわち、距骨後突起内側結節の位置は、装着者の足のサイズに応じて前後方向に若干異なるが、踵部１２は前後方向に収縮できるので、側面パッド２０の位置を、装着者の距骨後突起内側結節の位置に追随するように前後方向に変化させることができる。また足甲周りのサイズも装着者の足のサイズに応じて異なるが、足甲部１１は足甲の周方向に収縮できるので、足回りの大きさの変化に対応して、適度のフィット感を与えることが可能となる。
【００２８】
以上のように、本実施の形態３のスポーツ用サポーターによれば、足甲部の生地が足甲の周方向に収縮でき、踵部の生地がサポーターの前後方向に収縮できるようにそれぞれ配置したので、装着者の足のサイズが異なる場合であっても、側面パッドを距骨後突起内側結節の下側に相当する位置に確実に配置することが可能となり、且つ適度のフィット感を与えることができる。
なお、上述した実施の形態２によるスポーツ用サポーター２００において、足甲部と踵部とで生地の収縮方向を異ならしめるものとしても、当然に本実施の形態３において説明した効果を得ることができる。
【産業上の利用可能性】
【００２９】
本発明によるスポーツ用サポーターによれば、シーバー病患者がスポーツを行う際に踵に生じる痛みを緩和することのできるサポーター用具を提供することができる点において有用である。
【符号の説明】
【００３０】
１０  本体部
１０ａ  第１の開口
１０ｂ  第２の開口
１１  足甲部
１２  踵部
２０  側面パッド
３０  底面パッド
４１  距骨
４２  踵骨
４３  脛骨
４４  第五中足骨粗面４４領域
１００、２００、３００  スポーツ用サポーター
【図１】
0005449043.tif 000002
【図２】
0005449043.tif 000003
【図３ａ】
0005449043.tif 000004
【図３ｂ】
0005449043.tif 000005
【図４】
0005449043.tif 000006
【図５】
0005449043.tif 000007
【図６】
0005449043.tif 000008
【図７】
0005449043.tif 000009
【図８】
0005449043.tif 000010
【図９】
0005449043.tif 000011
【図１０ａ】
0005449043.tif 000012
【図１０ｂ】
0005449043.tif 000013
【図１０ｃ】
0005449043.tif 000014